(57)【要約】      （修正有）【課題】  穿孔処理装置におけるダイを形成する用紙ガイド板に用紙が引っかかり搬送不良を起こすことを防止する。【解決手段】  穿孔手段の穿孔刃に対向するダイが形成され、搬送路を形成する第１ガイド部材４５１及び、前記第１ガイド部材に対向し、前記搬送路を形成する第２ガイド部材４４を有する穿孔処理装置において、バネで付勢され、用紙を前記第２ガイド部材側によせてガイドする第３ガイド部材４６１を設ける。前記第３ガイド部材は、前記搬送路の上流側で軸に回転自在に支持され下流側を自由端とするガイド板からなる。【選択図】  図２
2006007352.tif 000002
【特許請求の範囲】
【請求項１】
穿孔手段、
前記穿孔手段の穿孔刃に対向するダイが形成され、搬送路を形成する第１ガイド部材及び、
前記第１ガイド部材に対向し、前記搬送路を形成する第２ガイド部材を有する穿孔処理装置において、
バネで付勢され、用紙を前記第２ガイド部材側によせてガイドする第３ガイド部材を有することを特徴とする穿孔処理装置。
【請求項２】
前記第３ガイド部材は、前記搬送路の上流側で軸に回転自在に支持され下流側を自由端とするガイド板からなることを特徴とする請求項１に記載の穿孔処理装置。
【請求項３】
前記第２ガイド部材は前記穿孔刃が貫通する孔を有し、該孔は、少なくとも下流側が開放したスリットからなることを特徴とする請求項１又は請求項２に記載の穿孔処理装置。
【請求項４】
請求項１〜３のいずれか１項に記載の穿孔処理装置を有することを特徴とする画像形成装置。
【発明の詳細な説明】
【技術分野】
【０００１】
本発明は用紙にファイル用の孔を開ける穿孔処理装置及び該穿孔処理装置を有する画像形成装置に関する。
【背景技術】
【０００２】
画像形成装置に用いられる穿孔処理装置は、一般に、搬送される用紙を一次停止させて、穿孔処理を施し、穿孔処理後に用紙の搬送するものである。
【０００３】
穿孔処理装置では、２孔、３孔、４孔等のように多様な処理モードがあるとともに、処理する用紙の紙質も多様であるために、穿孔処理部近傍において、用紙の先端が引っかかる等の搬送不良が発生しやすいという問題がある。
【０００４】
特許文献１ではこのような問題を解決するために、穿孔刃の往復移動をガイドするガイド部材のガイド孔周辺をテーパー状に凹ませることが提案されている。
【特許文献１】特開２００１−３２２０９４号公報
【発明の開示】
【発明が解決しようとする課題】
【０００５】
穿孔処理装置は、棒状の穿孔刃と該穿孔刃に対向して、穿孔刃が出入するダイからなるが、該ダイを形成する部材は穿孔処理装置近傍の搬送路を形成する。前記ダイは穿孔刃と共同して形状及び位置の正確な孔を形成する部材であり、鋭いエッジを有する。従って、用紙の先端が前記ダイに引っかかりやすく、用紙の曲がり、ジャム等の搬送不良が発生しやすい。
【０００６】
特許文献１のように、穿孔刃が設けられている側の搬送路の形状を工夫したのみでは、このような搬送不良を防止することができない。
【０００７】
本発明は、従来技術において解決出来なかった前記の搬送不良の問題を解決することを目的とする。
【課題を解決するための手段】
【０００８】
前記目的は下記の発明により達成される。
（請求項１）
穿孔手段、
前記穿孔手段の穿孔刃に対向するダイが形成され、搬送路を形成する第１ガイド部材及び、
前記第１ガイド部材に対向し、前記搬送路を形成する第２ガイド部材を有する穿孔処理装置において、
バネで付勢され、用紙を前記第２ガイド部材側によせてガイドする第３ガイド部材を有することを特徴とする穿孔処理装置。
（請求項２）
前記第３ガイド部材は、前記搬送路の上流側で軸に回転自在に支持され下流側を自由端とするガイド板からなることを特徴とする請求項１に記載の穿孔処理装置。
（請求項３）
前記第２ガイド部材は前記穿孔刃が貫通する孔を有し、該孔は、少なくとも下流側が開放したスリットからなることを特徴とする請求項１又は請求項２に記載の穿孔処理装置。
（請求項４）
請求項１〜３のいずれか１項に記載の穿孔処理装置を有することを特徴とする画像形成装置。
【発明の効果】
【０００９】
請求項１〜４のいずれかの発明により、穿孔処理装置に導入される用紙をダイを形成するガイド部材と反対側のガイド部材に寄せて案内するので、ようしの先端がダイに引っかかり搬送不良をおこすことが良好に防止される。
【発明を実施するための最良の形態】
【００１０】
以下に本発明における用紙後処理装置及び用紙後処理装置を一体的に有する画像形成装置について図を参照しながら説明する。
【００１１】
図１は画像形成装置の全体構成図である。
【００１２】
画像形成装置が画像形成部Ａ、画像読取部Ｂ、自動原稿搬送装置Ｃ及び後処理装置Ｄからなる。
【００１３】
画像形成部Ａは、回転する感光体１並びにその周囲に配置された帯電手段２、像露光手段３、現像手段４、転写手段５Ａ、除電手段５Ｂ、分離爪５Ｃ及びクリーニング手段６を有し、帯電手段２によって感光体１の表面に一様帯電を行った後に、像露光手段３のレーザビームによって原稿から読み取られた画像データに基づく露光走査を行って潜像を形成し、該潜像を現像手段４により反転現像して感光体１の表面にトナー像を形成する。
【００１４】
画像形成部Ａの下部には給紙部７Ａが設けられ、給紙部７Ａから給紙された用紙Ｓは給紙経路７Ｇを経て転写位置５へと送られる。転写位置５において転写手段５Ａにより前記トナー像が用紙Ｓ上に転写される。その後に、用紙Ｓは除電手段５Ｂにより除電され、分離爪５Ｃにより感光体１から分離され、中間搬送部７Ｂにより搬送され、定着手段８により加熱定着され、排紙ローラ７Ｃにより排出される。なお、上記のように、例えば、用紙Ｓの片面に画像形成を行うモードにおいては、搬送路切り替え板７Ｄが破線の状態に切り替えられている。
【００１５】
また、感光体１の転写処理後の表面は、クリーニング手段６により清掃され、次の画像形成に備える。
【００１６】
一方、用紙Ｓの両面に画像形成を行う場合には、搬送路切り替え板７Ｄを実線の状態に切り替えることにより、定着手段８を介して搬送される用紙Ｓを下方にガイドし、反転搬送手段７Ｅにおいてスイッチバックさせて表裏反転した後、両面コピー搬送経路７Ｆを経て給紙経路７Ｇに向け、更に、転写位置５において新たなトナー像を用紙Ｓの裏面（第２面）に転写させる。その後は、上記と同工程で加熱定着し、破線の状態に切り替えられている搬送路切り替え板７Ｄ上を通過させた後、排紙ローラ７Ｃにより排出する。排紙ローラ７Ｃから排出された用紙Ｓは後処理装置Ｄに送り込まれる。
【００１７】
また、画像形成装置は、ネットワークを介してパーソナルコンピュータ等の外部機器と接続されており、外部機器からの画像形成指令を受けて画像形成を行い、用紙後処理を行う。
【００１８】
後処理装置Ｄには、図示の上段に給紙部２０Ａ、２０Ｂ及び固定排紙皿３０、中段右側には穿孔処理装置４０、下段には２つ折り処理装置７０及びＺ折り処理装置８０、左側部には用紙を大量に積載可能な昇降式の昇降排紙皿９０が各々配置されている。
【００１９】
画像形成部Ａの排紙ローラ７Ｃから排出された用紙Ｓは、搬送路Ｈ１を搬送されて昇降排紙皿９０に排紙され、搬送路Ｈ２を搬送されて固定排紙皿３０に排紙される。
【００２０】
穿孔処理モードにおいては、用紙Ｓは穿孔処理装置４０に搬送され、穿孔処理された後に、搬送路Ｈ４を下方に搬送され、搬送路Ｈ５、Ｈ７を経て昇降排紙皿９０に排紙される。折りモードにおいては、用紙Ｓは搬送路Ｈ４を下方に搬送され、搬送路Ｈ６を経て折り処理装置７０、８０において折り処理された後に搬送路Ｈ７を搬送されて昇降排紙皿９０に排紙される。
【００２１】
画像形成装置から排紙された用紙Ｓには表紙やインサート紙を付加することが可能であり、付加用紙は給紙部２０Ａ、２０Ｂから搬送路Ｈ３を経て搬送され、固定排紙皿３０又は昇降排紙皿９０に排紙される。給紙部２０Ａ、２０Ｂから給紙された用紙Ｓに対しても、穿孔処理装置４０による穿孔処理や折り処理部７０、８０により折り処理を施すことが出来る。
【００２２】
図２〜図４を参照して本発明の実施の形態に係る後処理装置の穿孔処理装置を説明する。図２は本発明の実施の形態に係る穿孔処理装置の正面断面図、図３は該穿孔処理装置の図２における左側面図、図４は図２に示す穿孔処理装置の拡大図である。
【００２３】
穿孔処理装置４０は枠体４１内に水平方向に往復移動する棒状の穿孔刃４３が設けられる。穿孔刃４３は図３に示すように、搬送路幅方向に４本並列して設けられ、内側の２本を用いた２孔モード又は４本の穿孔刃４３を用いた４孔モードで穿孔処理を行うことができる。穿孔刃４３はモータ（図示せず）により回転駆動される偏心カム４９と引っ張り型のバネＳＰ１とにより、駆動されて矢印のように水平方向に往復移動する。枠体４１の左端部には、穿孔刃４３をガイドするガイド部材４２が固定される。
【００２４】
枠体４１の図２における左端には、第２ガイド部材としてのガイド板４４が固定される。ガイド板４４は図２、３に示すように、穿孔刃４３が貫通する孔４４Ａが４本の穿孔刃４３に対応して４個設けられる。孔４４Ａは図２，３に示すように、用紙Ｓの搬送方向下流側が開放したスリット状の孔である。
【００２５】
ガイド板４４に対向して枠体４５が設けられ、該枠体４５の図２における右端部は第１ガイド部材としてのガイド板４５１であり、穿孔刃４３が出入する孔４５１Ａが形成されたダイを構成する。ガイド板４４と４５１とは穿孔処理部における搬送路Ｈ４を形成する。また、ガイド板４４と４５１とは上端において屈曲し、広い搬送路Ｈ４Ａを形成し、用紙Ｓがスムーズに進入できるように構成されている。Ｒ１、Ｒ２は穿孔処理装置４０の用紙導入部における搬送ローラ、Ｒ３、Ｒ４は穿孔処理装置４０の排紙部にける搬送ローラである。
【００２６】
用紙Ｓは搬送ローラＲ１、Ｒ２により下方に搬送され、所定の位置に到達した時点で停止し、穿孔刃４３が左方に移動して、穿孔処理を行う。穿孔刃４３が右方に退避した後に、用紙搬送が再開され、搬送ローラＲ３、Ｒ４により穿孔処理装置４０から排出される。
【００２７】
穿孔処理装置４０における搬送路Ｈ２の上方部には、案内板４６、４６１が設けられる。第３ガイド部材としてのガイド板４６、４６１は図３に示すように搬送路幅方向に並列配置され、搬送路幅方向に均等に用紙Ｓを案内する。ガイド板４６、４６１はそれぞれ、支持腕４７、４７１により搬送路の上流側に配置された軸４８、４８１に回転自在に支持され、バネＳＰ２、ＳＰ３により図２、４の反時計方向に付勢される。従って、用紙Ｓは搬送ローラＲ１、Ｒ２により搬送され、穿孔処理装置４０に進入する際に、案内板４４側に押しやられて進行する。このように、用紙Ｓが案内板４４に沿って進行するように規制することにより、図４に示すように、用紙Ｓは案内板４４、４５Ａにより形成される搬送路Ｈ２内を直進する。
【００２８】
用紙Ｓが搬送路Ｈ４内で用紙ガイド板４６、４６１による規制なく走行する場合、用紙ガイド板４５１の孔４５１Ａの縁に引っかかる場合がある。前記したように、孔４５１Ａが形成された用紙ガイド板４５１は穿孔処理用のダイを形成するので、穴４５１Ａの縁は鋭いエッジに形成される。従って、穴４５１Ａの縁には用紙Ｓの先端がひっかかりやすく、用紙曲がりやジャム等の搬送不良が発生しやすくなる。
【００２９】
本発明においては、バネＳＰ１、ＳＰ２で付勢した用紙ガイド板４６、４６１により、用紙Ｓの先端をダイを形成する用紙ガイド板４５１から離すように規制することにより、このようなひっかかりを防止している。これによって、搬送不良を防止することが出来るとともに、用紙Ｓが穿孔処理装置４０内を、常に一定した軌道で走行するので、正確な位置に孔が形成される。
【００３０】
また、ガイド板４４に形成され、穿孔刃４３が通過する孔４４Ａは、下流側が開放したスリット状に形成されているので、用紙Ｓは孔４４Ａにひっかかることが防止される。
【図面の簡単な説明】
【００３１】
【図１】本発明の実施の形態に係る画像形成装置の全体図である。
【図２】本発明の実施の形態に係る穿孔処理装置の正面断面図である。
【図３】穿孔処理装置の図２における左側面図である。
【図４】穿孔処理装置の拡大図である。
【符号の説明】
【００３２】
４０  穿孔処理装置
４３  穿孔刃
４４、４６、４５１、４６１  用紙ガイド板
ＳＰ１、ＳＰ２  バネ１
【図１】
2006007352.tif 000003
【図２】
2006007352.tif 000004
【図３】
2006007352.tif 000005
【図４】
2006007352.tif 000006